(57)【要約】【課題】  サイズ展開が容易で且つ安価に作ることができるパネル体の提供。【解決手段】  複数の単位パネル２ａ，２ｂ，２ｃ，２ｄと、連結具３，３６と、枠材６ａ，６ｂ，６ｃ，６ｄを備え、単位パネル２ａ，２ｂ，２ｃ，２ｄは、略正方形の領域に外形が納まっている押出形材を押出方向と垂直な方向で切断したものであり、４箇所のコーナー部２０に係合部２１を有し、連結具３，３６は、単位パネル２ａ，２ｂ，２ｃ，２ｄの４つのコーナー部２０が集まった位置で係合部２１に係合した状態で単位パネル２ａ，２ｂ，２ｃ，２ｄ同士を連結するものと、単位パネル２ａ，２ｂ，２ｃ，２ｄの２つのコーナー部２０が集まった位置で係合部２１に係合した状態で単位パネル２ａ，２ｂ，２ｃ，２ｄを枠材６ａ，６ｂ，６ｃ，６ｄに固定するものとを有する。【選択図】      図１
2020051069.tif 000002
【特許請求の範囲】
【請求項１】
複数の単位パネルと、連結具と、枠材を備え、単位パネルは、略正方形の領域に外形が納まっている押出形材を押出方向と垂直な方向で切断したものであり、４箇所のコーナー部に係合部を有し、連結具は、単位パネルの４つのコーナー部が集まった位置で係合部に係合した状態で単位パネル同士を連結するものと、単位パネルの２つのコーナー部が集まった位置で係合部に係合した状態で単位パネルを枠材に固定するものとを有することを特徴とするパネル体。
【発明の詳細な説明】
【技術分野】
【０００１】
本発明は、フェンス等に用いられるパネル体に関する。
【背景技術】
【０００２】
従来より、鋳物製のフェンスが知られている（例えば、非特許文献１参照）。鋳物製のフェンスは、サイズ展開をするためには、そのサイズごとの鋳型を作る必要があり、鋳型が非常に高価であることから、サイズ展開するのが難しかった。
【先行技術文献】
【非特許文献】
【０００３】
【非特許文献１】三協立山株式会社 三協アルミ社発行のカタログ「エクステリア 総合カタログ」（カタログＮｏ．ＳＴＸ１１７５Ａ  ＫＹ．１８．０２−３０００）、２０１８年２月、ｐ．７１３
【発明の概要】
【発明が解決しようとする課題】
【０００４】
本発明は以上に述べた実情に鑑み、サイズ展開が容易で且つ安価に作ることができるパネル体の提供を目的とする。
【課題を解決するための手段】
【０００５】
上記の課題を達成するために請求項１記載の発明によるパネル体は、複数の単位パネルと、連結具と、枠材を備え、単位パネルは、略正方形の領域に外形が納まっている押出形材を押出方向と垂直な方向で切断したものであり、４箇所のコーナー部に係合部を有し、連結具は、単位パネルの４つのコーナー部が集まった位置で係合部に係合した状態で単位パネル同士を連結するものと、単位パネルの２つのコーナー部が集まった位置で係合部に係合した状態で単位パネルを枠材に固定するものとを有することを特徴とする。
【発明の効果】
【０００６】
請求項１記載の発明によるパネル体は、略正方形の領域に外形が納まっている押出形材を押出方向と垂直な方向で切断したものを単位パネルとし、単位パネルは４箇所のコーナー部に係合部を有し、複数の単位パネルを上下方向又は／及び左右方向に並べて配置して、単位パネルの４つのコーナー部が集まった位置で連結具を係合部に係合して単位パネル同士を連結し、単位パネルの２つのコーナー部が集まった位置で連結具を係合部に係合して単位パネルを枠材に固定したので、単位パネルの並び数と枠材の長さを変えることでサイズ展開が容易に行え、且つ鋳型が不要なため安価に作ることができる。また、連結具を取外すことで、単位パネルの取替えも容易である。
【図面の簡単な説明】
【０００７】
【図１】図２のフェンスの一部を拡大して示す正面図である。
【図２】本発明のパネル体を用いたフェンスの一実施形態を示す正面図である。
【図３】図１のＡ−Ａ断面図である。
【図４】図１のＢ−Ｂ断面図である。
【図５】パネル体の要部を拡大して示す分解斜視図である。
【図６】パネル体の分解斜視図である。
【図７】同フェンスのサイズ展開の例を示す正面図である。
【図８】同フェンスにおいて、隣接する単位パネルの向きを違わせて配置した例を示す正面図である。
【図９】同フェンスにおいて、中間の単位パネルを取外した状態を示す正面図である。
【図１０】単位パネルの例を示す正面図である。
【図１１】本発明のパネル体を用いたフェンスの他の実施形態（図１０（ｂ）の単位パネルを用いたもの）を示す正面図である。
【図１２】同フェンスにおいて、隣接する単位パネルの向きを違わせて配置した例を示す正面図である。
【図１３】本発明のパネル体を用いたフェンスの他の実施形態（図１０（ｃ）の単位パネルを用いたもの）を示す正面図である。
【図１４】本発明のパネル体をブロック塀の上の笠木に組み込んだ例を示す正面図である。
【図１５】図１４のＣ−Ｃ断面図である。
【図１６】（ａ）は本発明のパネル体の他の実施形態を示す正面図であり、（ｂ）はＤ−Ｄ断面図である。
【発明を実施するための形態】
【０００８】
以下、本発明の実施の形態を図面に基づいて説明する。図１〜６は、本発明のパネル体１を用いたフェンスの一実施形態を示している。本フェンスは、住宅等の敷地と道路との境界等に設置されるもので、図２に示すように、複数の支柱５，５，…を間隔をおいて地面から立設し、支柱５，５間にパネル体１を取付けて構成してある。
【０００９】
パネル体１は、図２，６に示すように、複数の単位パネル２ａを上下方向及び左右方向に並べて配置し、その周囲を囲むように付子（枠材）６ａ，６ｂ，６ｃ，６ｄを取付け、左右の縦の付子６ａ，６ｂの上端部間と下端部間に上桟７と下桟８を取付けて構成してある。上桟７及び下桟８は、図３に示すように、内周側が開放した溝部９が形成してあり、溝部９内に上下の付子６ｃ，６ｄを呑み込ませてある。上下の付子６ｃ，６ｄは、前側と後側の端部に見付片１４ａ，１４ｂを内周側に突出して設けてあり、見付片１４ａ，１４ｂ間に単位パネル２ａの上端部及び下端部が係合している。
左右の縦の付子６ａ，６ｂは、図４に示すように、前側の端部に外側前方に向けて斜めに延出した取付片１０を有しており、同付子６ａ，６ｂの後側端部を支柱５に形成された溝１１に前方から係止すると共に、取付片１０を支柱５にねじ１２で固定することで、パネル体１が支柱５，５間に取付けてある。支柱５の前部には目板１３が取付けられ、ねじ１２を隠している。付子６ａ，６ｂは、前側と後側の端部に見付片１４ａ，１４ｂを内周側に突出して設けてあり、見付片１４ａ，１４ｂ間に単位パネル２ａの側端部が係合している。
【００１０】
図１０は、本パネル体１に用いられる単位パネル２ａ，２ｂ，２ｃの例を示している。これらの単位パネル２ａ，２ｂ，２ｃは、アルミ合金の押出し形材を押出方向と垂直な方向で切断することで形成したものであり、押出方向をパネル体１の前後方向（見込方向）に向けて配置される。
図１０（ａ）の単位パネル２ａは、正方形の外枠１５の中に縦横に桟１６を設け、矩形の中空部が上下・左右非対称に形成されている。図１０（ｂ）の単位パネルは、正方形の外枠１５の中に縦桟１７を中央に設けると共に、上下左右の各辺の中間部を繋ぐように斜めに桟１８を設け、三角形の中空部を形成してある。図１０（ｃ）の単位パネルは、円弧状の桟１９を組合わせて花のような形になっている。単位パネル２ａ，２ｂ，２ｃの各部の肉厚は、３ｍｍとなっている。なお、図１〜６のフェンスには図１０（ａ）の単位パネル２ａを用いている。
これらの単位パネル２ａ，２ｂ，２ｃは、上下寸法及び左右寸法がいずれも１７７ｍｍで、正方形の領域に外形が納まっており、見込寸法が４０ｍｍとなっている。各単位パネル２ａ，２ｂ，２ｃは、４つのコーナー部２０の角の両側に略矩形断面の係合溝２１，２１が前後方向に沿って形成してある。
【００１１】
パネル体１は、図１，３，４，５に示すように、単位パネル２ａの４つのコーナー部２０が集まった位置Ｘ（図１参照）において、連結具３により単位パネル２ａ同士を連結してある。連結具３は、図５に示すように、前側金具２２と後側金具２３とねじ４とからなり、前側金具２２と後側金具２３は、十字に切断したプレートの４つの片を前後方向に折り曲げることで４つの係合爪２４が形成してあり、前側金具２２には中央部にねじ４を通すためのバカ孔２５が形成され、後側金具２３には中央部にねじ４が螺合する雌ねじ孔２６が形成してある。そして、前側金具２２を前側から、後側金具２３を後側から、各係合爪２４を単位パネル２ａの係合溝２１にそれぞれ係合させつつ単位パネル２ａの４つのコーナー部２０が集まった位置にあてがい、前側から前側金具２２のバカ孔２５に挿通したねじ４を後側金具２３の雌ねじ孔２６に螺入し、ねじ４を締め付けることで、４つのパネル体２ａのコーナー部２０が前後から挟み込んで固定される。隣り合う単位パネル２ａ同士の間には、３ｍｍの隙間２７が設けてある。
【００１２】
また、図１，３，４，５に示すように、パネル体１の周囲に位置する上下又は左右に並んだ単位パネル２ａの２つのコーナー部２０が集まった位置Ｙ（図１参照）においては、連結具３６により単位パネル２ａのコーナー部２０を付子６ａ，６ｂ，６ｃ，６ｄに固定している。連結具３６は、図５に示すように、隣接する単位パネル２ａの係合溝２１に跨って係合する板状の係合部材２９とねじ３０とからなる。係合部材２９は、図５に示すように、前側の端部に幅が広くなった抜け止め部３７を有しており、単位パネル２ａを床やテーブルの上などにおいて並べ、係合部材３７を隣接する単位パネル２ａの２つのコーナー部２０の係合溝２１，２１間に上方から挿入したときに、抜け止め部３７が単位パネル２ａの前面（上面）に引っ掛かることで、係合部材３７が係合溝２１から抜け落ちるのを防止できる。係合部材３７には、中央部に雌ねじ孔２８が形成してあり、付子６ａ，６ｂ，６ｃ，６ｄに外側から挿通したねじ３０を係合部材２９の雌ねじ孔２８に螺合し、ねじ３０を締め付けることで、単位パネル２ａのコーナー部２０を付子６ａ，６ｂ，６ｃ，６ｄに引き付けて固定している。
【００１３】
次に、本フェンスの施工手順を説明する。まず、複数の単位パネル２ａ，２ａ，…を上下方向及び左右方向に必要な数だけ並べ、単位パネル２ａの４つのコーナー部２０が集まった位置で、単位パネル２ａの係合溝２１に係合した状態で連結具３により連結・固定する。次に、並べた単位パネル２ａ，２ａ，…の周囲に付子６ａ，６ｂ，６ｃ，６ｄを配置し、周囲の単位パネル２ａの２つのコーナー部２０が集まった位置で、単位パネル２ａの係合溝２１に係合した状態で連結具３６により周囲の単位パネル２ａのコーナー部２０を付子６ａ，６ｂ，６ｃ，６ｄに引き付けて固定する。次に、左右の縦の付子６ａ，６ｂの上端部間と下端部間に上桟７と下桟８をそれぞれ取付ける。このようにして組み立てたパネル体１を、支柱５，５間に前方からねじ１２で取付ける。最後に、支柱５に目板１３を取付ける。
【００１４】
図７は、本フェンスのサイズ展開の例を示している。本フェンスは、同図に示すように、単位パネル２ａの上下方向及び左右方向の並び数を違わせ、それに伴って付子６ａ，６ｂ，６ｃ，６ｄと支柱５の長さを変更するだけで、サイズ展開が容易に行える。
【００１５】
図８は、本フェンスの他の実施形態を示している。これまでに説明した例では、図１０（ａ）に示す単位パネル２ａを全て同じ向きで配置していたが、本実施形態のものは単位パネル２ａを一つおきに面内で９０°回転して配置することで、上下方向及び左右方向に隣接する単位パネル２ａの向きを違わせている。このように本フェンスのパネル体１は、単位パネル２ａを面内で回転して配置することで、同一の単位パネル２ａを使用しながら意匠にバリエーションを持たせることができる。
【００１６】
図９は、同フェンスのパネル体１のうちの中間の単位パネル２ａの一つを取外した状態を示している。このように本パネル体１は、ある単位パネル２ａの４つのコーナー部２０の連結具３を取外すことで、任意の単位パネル２ａを取外すことができ、単位パネル２ａの交換も容易に行える。
【００１７】
図１１は、本発明のパネル体１を用いたフェンスの他の実施形態を示している。このフェンスは、パネル体１に図１０（ｂ）の単位パネル２ｂを用いている。
図１２も、図１０（ｂ）の単位パネル２ｂを用いた例を示している。図１１のものは、図１０（ｂ）の単位パネル２ｂを全て同じ向きで配置しているが、図１２のものは同単位パネル２ｂを一つおきに面内で９０°回転して配置することで、上下方向及び左右方向に隣接する単位パネル２ｂの向きを違わせている。
【００１８】
図１３は、本発明のパネル体１を用いたフェンスの他の実施形態を示している。このフェンスは、パネル体１に図１０（ｃ）の単位パネル２ｃを用いており、縦横の格子の無い花模様のデザインとなっている。
【００１９】
図１４，１５は、本発明のパネル体１をブロック塀３８の上の笠木３９に組み込んだ例を示している。パネル体１は、複数の単位パネル２ａ，２ａ，…を左右方向に並べて配置し、その上部と下部に付子６ｃ，６ｄを渡し、隣接する単位パネル２ａの２つのコーナー部２０が集まった位置で、単位パネル２ａの係合溝２１に係合した状態で単位パネル２ａのコーナー部２０を連結具３６により付子６ｃ，６ｄに引き付けて固定してある。ブロック塀３８の上には、笠木ベース４０をアンカーボルトで取付け、笠木ベース４０上に笠木本体４１が取付けてある。笠木本体４１上には、笠木上枠４２と笠木下枠４３と側枠４４とからなる枠が設けてあり、その枠内にパネル体１を取付けている。
【００２０】
このように笠木３９にパネル体１を組み込むことで、ブロック塀にアクセントを付けることができ、単位パネル２ａの並び数と付子６ｃ，６ｄの長さを変えることで、笠木３９の長さ違いに柔軟に対応できる。単位パネル２ａは、複数種類２ａ，２ｂ，２ｃのうちから選択自在であり、また面内で回転して配置することもできる。
【００２１】
図１６は、単位パネル２ｄ同士の連結具３，３６の他の実施形態を示している。本実施形態は、単位パネル２ｄのコーナー部にはねじ４が係合する係合溝２１が前後方向に形成してあり、単位パネル２ｄの４つのコーナー部２０が集まった位置Ｘにおける連結具４は、後側に雌ねじ孔３２が４つ形成されたブロック状の金具（裏側部）３３を配置し、前方から単位パネル２ｄの各係合溝２１に挿入したねじ４を金具３３の雌ねじ孔３２に螺入することで、ねじ４の頭（表側部）４ａと金具３３とで単位ブロック２ｄを前後から挟み込んで連結・固定している。
また、パネル体１の周囲の上下又は左右に並んだ２つの単位パネル２ｄのコーナー部２０が集まった位置Ｙにおける連結具３６は、Ｌ形の金具３４の見付片（裏側部）３４ａを単位パネル２ｄのコーナー部後側に当接し、前側から単位パネル２ｄの係合溝２１に挿入したねじ４を金具３４の見付片３４ａに螺入することで、ねじ４の頭（表側部）４ａと金具３４の見付片３４ａとで単位ブロック２ｄを前後から挟み込んで連結・固定している。金具３４の見込み片３４ｂは、付子等の枠材にねじ３５で取付けられる。
【００２２】
以上に述べたように本フェンスのパネル体１は、略正方形の領域に外形が納まっている押出形材を押出方向と垂直な方向で切断したものを単位パネル２ａ，２ｂ，２ｃ，２ｄとし、単位パネル２ａ，２ｂ，２ｃ，２ｄは４箇所のコーナー部に係合部（係合溝）２１を有し、複数の単位パネル２ａ，２ｂ，２ｃ，２ｄを上下方向又は／及び左右方向に並べて配置して、単位パネル２ａ，２ｂ，２ｃ，２ｄの４つのコーナー部２０が集まった位置で連結具３を係合部２１に係合して単位パネル２ａ，２ｂ，２ｃ，２ｄ同士を連結し、単位パネル２ａ，２ｂ，２ｃ，２ｄの２つのコーナー部２０が集まった位置で連結具３６を係合部２１に係合して単位パネル２ａ，２ｂ，２ｃ，２ｄを枠材（付子）６ａ，６ｂ，６ｃ，６ｄに固定したので、単位パネル２ａ，２ｂ，２ｃ，２ｄの並び数と枠材６ａ，６ｂ，６ｃ，６ｄの長さを変えることでサイズ展開が容易に行え、且つ鋳型が不要なため安価に作ることができる。また、連結具３，３６を取外すことで、単位パネル２ａ，２ｂ，２ｃ，２ｄの取替えも容易である。連結具３，３６は、単位パネルコーナー部２０の同じ係合部２１を利用するため、合理的である。連結具３，３６を単位パネルのコーナー部２０に配置することで、連結具３，３６の数を少なくできる。
またパネル体１は、隣り合う単位パネル２ａ，２ｂ，２ｃ，２ｄ同士の間に隙間２７が設けてあることで、より軽快な印象を与えられるとともに、外気熱等で伸長してもその伸長を吸収できる。
本パネル体１は、単位パネル２ａ，２ｂ，２ｃ，２ｄを面内で回転して配置できるので、同じ単位パネル２ａ，２ｂ，２ｃ，２ｄを使用しながら意匠にバリエーションを持たせられる。
さらに本パネル体１は、単位パネル２ａ，２ｂ，２ｃ，２ｄを複数種類のうちから選択自在であるため、意匠にバリエーションを持たせるのが容易である。さらに、一つのパネル体１の中に種類の異なる単位パネル２ａ，２ｂ，２ｃ，２ｄを組み合わせて用いることも可能であり、これによりさらなる意匠のバリエーション展開が可能である。
単位パネル２ａ，２ｂ，２ｃ，２ｄは、略正方形の領域に外形が納まっていることで、面内で回転して配置できる。
単位パネル２ａ，２ｂ，２ｃ，２ｄは、押出形材を切断して形成され、押出方向を前後方向に向けて配置したので、単位パネル２ａ，２ｂ，２ｃ，２ｄを同じ形状で正確に且つ安価に製作でき、また、各部の肉厚を薄く形成できるので、軽快な印象のパネル体を構築できる。さらに、単位パネル２ａ，２ｂ，２ｃ，２ｄ同士の間に隙間２７を設けることで、単位パネル２ａ，２ｂ，２ｃ，２ｄを押出形材で形成したことと相まって、より一層軽快な印象にできる。
【００２３】
本発明は以上に述べた実施形態に限定されない。単位パネルの形状、材質は、適宜変更することができる。単位パネルのコーナー部に設けられる係合部の形状は、適宜変更することができ、連結具はその係合部の形状に合わせて、形状、材質等を適宜変更することができる。本発明のパネル体は、単位パネルを上下方向のみ、または左右方向のみに並べて配置したものであってもよい。本発明のパネル体の用途は、特に限定されるものではなく、フェンス以外にも、例えばカーポート等に付設される目隠しや風よけ用のスクリーン、ベランダの手摺など、あらゆる用途に用いることができる。
【符号の説明】
【００２４】
１  パネル体
２ａ，２ｂ，２ｃ，２ｄ  単位パネル
３  連結具
４  ねじ
６ａ，６ｂ，６ｃ，６ｄ  付子（枠材）
２０  コーナー部
２１  係合溝（係合部）
２２  前側金具（表側部）
２３  後側金具（裏側部）
２９  係合部材
３０  ねじ
３６  連結具
【図１】
2020051069.tif 000003
【図２】
2020051069.tif 000004
【図３】
2020051069.tif 000005
【図４】
2020051069.tif 000006
【図５】
2020051069.tif 000007
【図６】
2020051069.tif 000008
【図７】
2020051069.tif 000009
【図８】
2020051069.tif 000010
【図９】
2020051069.tif 000011
【図１０】
2020051069.tif 000012
【図１１】
2020051069.tif 000013
【図１２】
2020051069.tif 000014
【図１３】
2020051069.tif 000015
【図１４】
2020051069.tif 000016
【図１５】
2020051069.tif 000017
【図１６】
2020051069.tif 000018